(57)【要約】【課題】ファーストプリントまでの時間のさらなる短縮化を図り、ユーザの待ち時間削減をさらに促進する。【解決手段】ストレート給紙台２３にセットされた封筒用印刷用紙ＦＰを用いて封入封緘装置３０で封書を作成できる用紙種類の中紙用印刷用紙ＨＰが、第１給紙トレイ２２ａ、第２給紙トレイ２２ｂ、第３給紙トレイ２２ｃに１種類だけセットされている場合に、それらの封筒用印刷用紙ＦＰ及び中紙用印刷用紙ＨＰが封入封緘装置３０で封書を作成するのに用いられるものと推定して、それらの用紙種類と折りの種類の各情報を含んだ封筒用初期化指令や中紙用初期化指令を、封入封緘装置３０に出力するようにした。このため、封入封緘装置３０で封書を作成するのに用いる封筒用印刷用紙ＦＰ及び中紙用印刷用紙ＨＰを印刷ジョブデータの印刷設定情報から特定するよりも早く、封筒用初期化指令や中紙用初期化指令を封入封緘装置３０に出力することができる。【選択図】図１
2016172634.tif 000002
【特許請求の範囲】
【請求項１】
それぞれの給紙部から給紙された第１用紙と第２用紙とに印刷処理を施して、前記第１用紙及び前記第２用紙をそれぞれ加工して組み合わせた印刷加工物を作成する後処理装置に排紙する印刷装置において、
所定のイベントが発生する毎に、前記第１用紙の給紙部にセットされた用紙の種類を特定する第１用紙種類特定手段と、
前記第１用紙種類特定手段が特定した第１用紙の種類から、該種類の第１用紙と組み合わせて前記後処理装置が前記印刷加工物を作成できる前記第２用紙の種類及び加工内容を含む加工パターンの候補を特定する加工パターン特定手段と、
前記加工パターン特定手段が特定した前記加工パターンの候補が単一である場合に、該候補の加工パターンに応じた内容で前記後処理装置の前記第２用紙を加工する第２用紙加工部を初期化させる初期化指令を前記後処理装置に出力する初期化指令出力手段と、
を備えることを特徴とする印刷装置。
【請求項２】
前記第２用紙の給紙部にセットされた用紙の種類を特定する第２用紙種類特定手段をさらに備えており、前記初期化指令出力手段は、前記加工パターン特定手段が特定した前記加工パターンの候補が複数である場合、各候補の加工パターンのうち前記第２用紙の種類が前記第２用紙種類特定手段の特定した第２用紙の種類と一致する加工パターンの候補が単一であるときに、該候補の加工パターンに応じた内容で前記第２用紙加工部を初期化させる初期化指令を前記後処理装置に出力することを特徴とする請求項１記載の印刷装置。
【請求項３】
前記初期化指令出力手段は、前記第１用紙種類特定手段が特定した第１用紙の種類に応じた内容で前記後処理装置の前記第１用紙を加工する第１用紙加工部を初期化させる初期化指令を前記後処理装置に出力することを特徴とする請求項１又は２記載の印刷装置。
【請求項４】
前記初期化指令出力手段は、前記第１用紙加工部を初期化させる初期化指令と前記第２用紙加工部を初期化させる初期化指令とを順次個別に前記後処理装置に出力することを特徴とする請求項１、２又は３記載の印刷装置。
【請求項５】
前記後処理装置は、中紙用印刷用紙を封筒用印刷用紙に封入封緘して封書を前記印刷加工物として作成する封入封緘装置であり、前記第１用紙は前記封筒用印刷用紙であり、前記第２用紙は前記中紙用印刷用紙であることを特徴とする請求項１、２、３又は４記載の印刷装置。
【請求項６】
それぞれの給紙部から給紙された第１用紙と第２用紙とに印刷処理を施して排紙する印刷装置と、該印刷装置から排紙された前記第１用紙及び前記第２用紙を第１用紙加工部及び第２用紙加工部でそれぞれ加工して組み合わせた印刷加工物を作成する後処理装置とを有する印刷加工物作成システムにおいて、
前記印刷装置として請求項１、２、３、４又は５記載の印刷装置を有する、
ことを特徴とする印刷加工物作成システム。
【発明の詳細な説明】
【技術分野】
【０００１】
本発明は、印刷装置で印刷処理を施して排紙した第１用紙及び第２用紙を後処理装置でそれぞれ加工し組み合わせて印刷加工物を作成する印刷加工物作成システムに関する。
【背景技術】
【０００２】
近年、ダイレクトメール等の封書の利用拡大にともなって、印刷装置における印刷用紙への印刷と、その印刷済みの印刷用紙を用いた封筒の作成及びその封筒への中紙の封入及び封緘を自動的に行う封書作成システムが種々提案されている。
【０００３】
この封書作成システムにおいては、具体的には、印刷装置から排紙された印刷済みの封筒用印刷用紙及び中紙用印刷用紙が封入封緘装置によって受け入れられ、封入封緘装置において、その封筒用印刷用紙を３つ折り等して折り曲げて封筒が形成され、その封筒内に３つ折り等された中紙用印刷用紙が封入された後、封緘が行われて封書が作成される。
【０００４】
ここで、上述したような封書作成システムには、上述したような中紙用印刷用紙及び封筒用印刷用紙の折り処理を行う機械的な機構や、中紙用印刷用紙を封筒内に封入するための機械的な機構等が設けられている。そして、このような機械的な機構は、印刷装置から封入封緘装置への印刷用紙の排紙が開始される前に、中紙用印刷用紙や封筒用印刷用紙の種類や折りの種類に応じて初期化しておく必要がある。
【０００５】
しかしながら、封入封緘装置における上述した全ての機械的な機構について初期化動作を行った後に、印刷装置から封入封緘装置への印刷用紙の排紙を開始するようにしたのではその排紙タイミングが遅くなり、ユーザが印刷指示を入力してから最初の印刷用紙が印刷装置から排紙されるまで、即ち、ファーストプリントまでの時間が長くなってしまい、ユーザにとってはこの時間が待ち時間となってしまう。
【０００６】
また、封筒内に封入する中紙用印刷用紙の枚数が比較的多い場合には、上述したように全ての初期化動作が終了した後から中紙用印刷用紙の印刷及び封入が行われるため、１通目の封書が完成して封入封緘装置から排出されるまでの時間も長くなってしまう。
【０００７】
そこで、本出願人は、中紙用印刷用紙や封筒用印刷用紙のサイズ情報を印刷ジョブデータから取得し、これに基づいて、封入封緘装置の中紙用印刷用紙や封筒用印刷用紙の折り処理等を行う機構を初期化動作させると共に、その所要時間から決定した排紙タイミングで最初の中紙用印刷用紙や封筒用印刷用紙を印刷装置から封入封緘装置に排紙して、ファーストプリントまでの時間を短縮する提案を、過去に行っている（例えば、特許文献１）。
【先行技術文献】
【特許文献】
【０００８】
【特許文献１】特開２０１３−２２７１４０号公報
【発明の概要】
【発明が解決しようとする課題】
【０００９】
上述した封入封緘装置を印刷装置と併用する封書作成システムに限らず、印刷装置で印刷処理を施して排紙した第１用紙及び第２用紙を後処理装置でそれぞれ加工し組み合わせて印刷加工物を作成する印刷加工物作成システムにおいては、後処理装置の初期化動作を如何にして早く終えておくかが、印刷装置によるファーストプリントまでの所要時間の短縮化に大いに影響する。
【００１０】
本発明は前記事情に鑑みなされたもので、本発明の目的は、ファーストプリントまでの時間のさらなる短縮化を図り、ユーザの待ち時間削減をさらに促進することができる印刷加工物作成システム及び印刷装置を提供することにある。
【課題を解決するための手段】
【００１１】
前記目的を達成するために、本発明の第１の態様による印刷装置は、
それぞれの給紙部から給紙された第１用紙と第２用紙とに印刷処理を施して、前記第１用紙及び前記第２用紙をそれぞれ加工して組み合わせた印刷加工物を作成する後処理装置に排紙する印刷装置において、
所定のイベントが発生する毎に、前記第１用紙の給紙部にセットされた用紙の種類を特定する第１用紙種類特定手段と、
前記第１用紙種類特定手段が特定した第１用紙の種類から、該種類の第１用紙と組み合わせて前記後処理装置が前記印刷加工物を作成できる前記第２用紙の種類及び加工内容を含む加工パターンの候補を特定する加工パターン特定手段と、
前記加工パターン特定手段が特定した前記加工パターンの候補が単一である場合に、該候補の加工パターンに応じた内容で前記後処理装置の前記第２用紙を加工する第２用紙加工部を初期化させる初期化指令を前記後処理装置に出力する初期化指令出力手段と、
を備えることを特徴とする。
【００１２】
また、本発明の第２の態様による印刷装置は、本発明の第１の態様による印刷装置において、前記第２用紙の給紙部にセットされた用紙の種類を特定する第２用紙種類特定手段をさらに備えており、前記初期化指令出力手段は、前記加工パターン特定手段が特定した前記加工パターンの候補が複数である場合、各候補の加工パターンのうち前記第２用紙の種類が前記第２用紙種類特定手段の特定した第２用紙の種類と一致する加工パターンの候補が単一であるときに、該候補の加工パターンに応じた内容で前記第２用紙加工部を初期化させる初期化指令を前記後処理装置に出力することを特徴とする。
【００１３】
さらに、本発明の第３の態様による印刷装置は、本発明の第１又は第２の態様による印刷装置において、前記初期化指令出力手段は、前記第１用紙種類特定手段が特定した第１用紙の種類に応じた内容で前記後処理装置の前記第１用紙を加工する第１用紙加工部を初期化させる初期化指令を前記後処理装置に出力することを特徴とする。
【００１４】
また、本発明の第４の態様による印刷装置は、本発明の第１、第２又は第３の態様による印刷装置において、前記初期化指令出力手段は、前記第１用紙加工部を初期化させる初期化指令と前記第２用紙加工部を初期化させる初期化指令とを順次個別に前記後処理装置に出力することを特徴とする。
【００１５】
さらに、本発明の第５の態様による印刷装置は、本発明の第１、第２、第３又は第４の態様による印刷装置において、前記後処理装置は、中紙用印刷用紙を封筒用印刷用紙に封入封緘して封書を前記印刷加工物として作成する封入封緘装置であり、前記第１用紙は前記封筒用印刷用紙であり、前記第２用紙は前記中紙用印刷用紙であることを特徴とする。
【００１６】
また、前記目的を達成するために、本発明の第６の態様による印刷加工物作成システムは、
それぞれの給紙部から給紙された第１用紙と第２用紙とに印刷処理を施して排紙する印刷装置と、該印刷装置から排紙された前記第１用紙及び前記第２用紙を第１用紙加工部及び第２用紙加工部でそれぞれ加工して組み合わせた印刷加工物を作成する後処理装置とを有する印刷加工物作成システムにおいて、
前記印刷装置として本発明の第１、第２、第３、第４又は第５の態様による印刷装置を有する、
ことを特徴とする。
【発明の効果】
【００１７】
本発明によれば、最初の第１用紙及び第２用紙に印刷処理を施して、それらをそれぞれ加工し組み合わせた印刷加工物を作成する後処理装置に排紙する、所謂ファーストプリントまでの時間のさらなる短縮化を図り、ユーザの待ち時間削減をさらに促進することができる。
【００１８】
即ち、本発明の第１の態様による印刷装置によれば、所定のイベントが発生して第１用紙の給紙部にセットされた用紙の種類が特定されると、特定された第１用紙の種類から、その種類の第１用紙と組み合わせて後処理装置が印刷加工物を作成できる第２用紙の種類及び加工内容を含む加工パターンの候補が特定される。
【００１９】
なお、第１用紙の種類は、第１用紙の給紙部において用紙種類センサにより検出して特定してもよく、予めユーザが設定した第１用紙の給紙部にセットされる用紙の種類から特定してもよい。
【００２０】
そして、第１用紙の種類から特定された第２用紙の加工パターンの候補が単一である場合は、その候補の加工パターンから、後処理装置の第２用紙加工部が第２用紙を加工する内容が一義的に特定され、特定された内容に応じて第２用紙加工部の初期化内容が一義的に定まる。このため、第２用紙加工部を適切に初期化させる初期化指令を出力できる状態となる。
【００２１】
以上のようにして後処理装置に出力する第２用紙加工部の初期化指令の内容を決定すると、印刷ジョブデータを受け取る前に初期化指令の内容を決定して後処理装置に出力できる。このため、第２用紙加工部の初期化後に可能となる印刷装置から後処理装置への第２用紙の排紙が、印刷ジョブデータを受け取る前の時点で開始できるようになる。
【００２２】
これにより、印刷ジョブデータを受け取ってその内容から決定した第２用紙加工部の初期化指令を後処理装置に出力するよりも、所謂ファーストプリントまでの時間のさらなる短縮化を図り、ユーザの待ち時間削減をさらに促進することができる。
【００２３】
なお、本発明の第１の態様による印刷装置において、第１用紙の種類から特定された加工パターンの候補が複数であると、各候補の加工パターンからそれぞれ特定される後処理装置の第２用紙加工部による第２用紙の加工内容が同じ内容になるとは限らない。したがって、第２用紙加工部の初期化内容を一義的に定めることができず、第２用紙加工部を適切に初期化させる初期化指令を出力できる状態には至らない。
【００２４】
そこで、本発明の第２の態様による印刷装置では、特定された加工パターンの候補のうち、第２用紙の給紙部にセットされた種類の第２用紙を用いる加工パターンの候補が単一である場合に、その候補の加工パターンから、後処理装置の第２用紙加工部が第２用紙を加工する内容を一義的に特定し、特定した内容に応じて第２用紙加工部の初期化内容を一義的に定める。
【００２５】
これにより、印刷ジョブデータを受け取る前に、第２用紙加工部を適切に初期化させる初期化指令を出力できる状態とすることができ、所謂ファーストプリントまでの時間のさらなる短縮化を図り、ユーザの待ち時間削減をさらに促進することができる。
【００２６】
さらに、本発明の第３の態様による印刷装置によれば、本発明の第１又は第２の態様による印刷装置において、第１用紙種類特定手段が特定した第１用紙の種類により、後処理装置の第１用紙加工部が第１用紙を加工する内容を一義的に特定し、特定した内容に応じて第１用紙加工部の初期化内容を一義的に定めることができる。
【００２７】
このため、印刷ジョブデータを受け取る前に、第１用紙加工部を適切に初期化させる初期化指令を出力できる状態とすることができ、所謂ファーストプリントまでの時間のさらなる短縮化を図り、ユーザの待ち時間削減をさらに促進することができる。
【００２８】
なお、本発明の第４の態様による印刷装置のように、本発明の第１、第２又は第３の態様による封書作成システムにおいて、第１用紙加工部を初期化させる初期化指令と第２用紙加工部を初期化させる初期化指令とを順次個別に後処理装置に出力することで、後処理装置の初期化の内容が決まった部分から順次初期化動作を開始させ、全ての初期化動作が終わる時点を早めて、印刷装置をより早い時点でファーストプリント可能な状態にすることができる。
【００２９】
また、本発明の第５の態様による印刷装置によれば、本発明の第１、第２、第３又は第４の態様による印刷装置において、封入封緘装置により封書を作成するのに用いる中紙用印刷用紙や封筒用印刷用紙を印刷する際に、所謂ファーストプリントまでの時間のさらなる短縮化を図り、ユーザの待ち時間削減をさらに促進することができる。
【００３０】
そして、本発明の第６の態様による印刷加工物作成システムによれば、印刷装置から排紙された第１用紙及び第２用紙を後処理装置の第１用紙加工部及び第２用紙加工部でそれぞれ加工して組み合わせることで印刷加工物を作成する際に、第１、第２、第３、第４又は第５の態様による印刷装置で得られた効果を得ることができる。
【図面の簡単な説明】
【００３１】
【図１】本発明の一実施形態に係る封書作成システムの全体概略構成を示す説明図である。
【図２】図１の封書作成システムで作成する封書に用いる封筒用印刷用紙を示し、（ａ）は封筒用印刷用紙の表面を示す斜視図、（ｂ）は同の裏面を示す斜視図である。
【図３】（ａ）〜（ｃ）は図２の封筒用印刷用紙を用いて封書を作成する方法を示す斜視図である。
【図４】（ａ），（ｂ）は図１の封入封緘装置の封書作成時における動作を示す説明図である。
【図５】（ａ），（ｂ）は図１の封入封緘装置の封書作成時における動作を示す説明図である。
【図６】（ａ），（ｂ）は図１の封入封緘装置の封書作成時における動作を示す説明図である。
【図７】図１の封書作成システムの制御系の構成の要部を示すブロック図である。
【図８】図７の印刷装置の制御部が有するＲＡＭに記憶された封入封緘装置で封書を作成できる封筒用印刷用紙と中紙用印刷用紙との組み合わせを示すテーブルの一例の説明図である。
【図９】図１の封書作成システムにおいてコンピュータからの印刷ジョブデータを受け取る前に印刷装置の制御部が行う初期化指令出力処理の手順を示すフローチャートである。
【発明を実施するための形態】
【００３２】
以下、図面を参照して本発明の印刷加工物作成システムの実施形態を説明する。以下に説明する実施形態では、印刷装置で印刷処理を施して排紙した封筒用印刷用紙及び中紙用印刷用紙を封入封緘装置で折り加工後に封入封緘して封書を作成する封書作成システムに、本発明を適用した場合について説明する。図１は本実施形態の封書作成システムの全体概略構成を示す説明図である。
【００３３】
図１に示すように、本実施形態の封書作成システム１（請求項中の印刷加工物作成システムに相当）は、コンピュータ１０と、コンピュータ１０に有線または無線ＬＡＮ等のネットワークを介して接続された印刷装置２０と、印刷装置２０において印刷処理の施された封筒用印刷用紙ＦＰ（請求項中の第１用紙に相当）と中紙用印刷用紙ＨＰ（請求項中の第２用紙に相当）とを用いて封書を作成する封入封緘装置３０（請求項中の後処理装置に相当）とを備えている。
【００３４】
コンピュータ１０は、封筒用印刷用紙ＦＰ及び中紙用印刷用紙ＨＰに印刷される画像データを編集可能に構成されたものであり、この画像データを含む封書作成用の印刷ジョブデータを生成し、その印刷ジョブデータを印刷装置２０に出力するものである。
【００３５】
封書作成用の印刷ジョブデータには、上述した画像データの他に印刷設定情報が含まれている。この印刷設定情報には、封筒用印刷用紙ＦＰ及び中紙用印刷用紙ＨＰの用紙種類の情報や、これらの印刷用紙に対して施される折り処理の情報（３つ折りや２つ折り等）や、各通の封書に含まれる中紙用印刷用紙ＨＰの枚数の情報や、両面印刷または片面印刷を示す情報等が含まれている。
【００３６】
印刷装置２０は、印刷用紙に対してインクを吐出するインクヘッド部２１を備えている。インクヘッド部２１は、コンピュータ１０から出力された印刷ジョブデータに含まれる画像データに基づいて、封筒用印刷用紙ＦＰや中紙用印刷用紙ＨＰに対してインクを吐出することによってこれらに印刷処理を施すものである。本実施形態のインクヘッド部２１は、ブラックＫ、シアンＣ、マゼンダＭ、イエローＹの各色のインクを吐出する複数のライン型のインクヘッドを備えるものである。
【００３７】
また、印刷装置２０は、中紙用印刷用紙ＨＰがセットされる給紙トレイ２２と、封筒用印刷用紙ＦＰがセットされるストレート給紙台２３とを備えている。給紙トレイ２２は、第１給紙トレイ２２ａと第２給紙トレイ２２ｂと第３給紙トレイ２２ｃとを備えており、これらの給紙トレイに種々の用紙種類、用紙サイズの中紙用印刷用紙ＨＰがセットされる。また、ストレート給紙台２３には、封筒用印刷用紙ＦＰがセットされる。
【００３８】
そして、封書作成を行う際には、封筒用印刷用紙ＦＰと中紙用印刷用紙ＨＰとが、それぞれストレート給紙台２３と給紙トレイ２２とから給紙ローラ等の給紙機構２８（図１においては図示省略、図７参照）によってピックアップされて給紙される。
【００３９】
なお、封筒用印刷用紙ＦＰや中紙用印刷用紙ＨＰをセットするトレイは上記したパターンに限定されない。例えば、封筒用印刷用紙ＦＰを給紙トレイ２２にセットし、中紙用印刷用紙ＨＰをストレート給紙台２３にセットするようにしてもよい。また、ストレート給紙台２３を利用せず、封筒用印刷用紙ＦＰと中紙用印刷用紙ＨＰとを第１〜第３給紙トレイ２２ａ〜２２ｃの中の異なる給紙トレイにそれぞれセットするようにしてもよい。但し、２種類以上の封筒用印刷用紙ＦＰを給紙トレイ２２やストレート給紙台２３にセットしないのを原則とする。
【００４０】
また、印刷装置２０は、封筒用印刷用紙ＦＰと中紙用印刷用紙ＨＰとを搬送する循環搬送路２４を備えている。循環搬送路２４は、ストレート給紙台２３から給紙された封筒用印刷用紙ＦＰと給紙トレイ２２から給紙された中紙用印刷用紙ＨＰとをインクヘッド部２１の上流側から下流側に向けて搬送するものである。
【００４１】
また、循環搬送路２４は、片面印刷の際には、インクヘッド部２１において印刷処理の施された印刷用紙をそのまま連絡搬送路２５に受け渡すものであり、両面印刷の際には、片面の印刷処理が終了した印刷用紙を反転部２６まで搬送し、反転部２６において表裏反転された片面印刷済印刷用紙を再びインクヘッド部２１の上流側から下流側へ搬送し、その後、インクヘッド部２１において再び印刷処理の施された両面印刷済印刷用紙を連絡搬送路２５に受け渡すものである。そして、連絡搬送路２５によって受け入れられた印刷済印刷用紙は、封入封緘装置３０に送り出される。
【００４２】
封入封緘装置３０は、印刷装置２０から排紙された印刷済みの封筒用印刷用紙に対して折り処理を施すことによって封筒を作成するとともに、印刷済みの中紙用印刷用紙に対して折り処理を施して封筒内に封入することによって封書を作成するものである。
【００４３】
ここで、本実施形態の封書作成システム１において使用される封筒用印刷用紙ＦＰの一例について、図２を参照して説明する。図２（ａ）は封筒用印刷用紙ＦＰの表面（例えば、宛て名等が印刷される面）を示す斜視図であり、図２（ｂ）は封筒用印刷用紙ＦＰの裏面（封筒の内側となる面）を示す斜視図である。
【００４４】
図２（ａ）に示すように、封筒用印刷用紙ＦＰは１枚の紙からなるものであるが、その１枚の紙が２本の平行な折り線１２０で折り曲げられることによって第１紙片１０１、第２紙片１０２及び第３紙片１０３の３つの略同じ矩形の紙片が形成される。
【００４５】
第１紙片１０１には、２本のミシン目１０４が開封部として形成されている。封緘された封書１５０を開封する場合には、このミシン目１０４に沿って第１紙片１０１の中央部分が剥がされることになる。また、第３紙片１０３の表面には、第２紙片１０２との折り線１２０に隣接する位置に、幅方向（封筒用印刷用紙ＦＰの搬送方向に直交する方向）に沿った帯状のパターンの再湿糊部１１０が２箇所に設けられている。
【００４６】
また、図２（ｂ）に示すように、第１〜第３紙片１０１〜１０３の各裏面には、幅方向の両縁部に沿って感圧接着剤部１１１が所定のパターンで帯状に設けられている。これらの感圧接着剤部１１１の配置パターンは、各紙片を折って封筒の形状に組み立てた場合に、対向する紙片同士の感圧接着剤部１１１が互いに向かい合うように設けられている。
【００４７】
次に、図３（ａ）〜図３（ｃ）の斜視図を参照しながら、封筒用印刷用紙ＦＰを封筒として成形しつつ、中紙用印刷用紙ＨＰを封入する方法を説明する。まず、図３（ａ）に示すように、第２紙片１０２の裏面側に第３紙片１０３の裏面が重なるように折り処理が施される。
【００４８】
このとき、図３（ｂ）に示すように、第２紙片１０２と第３紙片１０３との間に、折り処理の施された中紙用印刷用紙ＨＰが載置される。そして、図３（ｃ）に示すように、後述する封入封緘装置３０における加水部４１によって再湿糊部１１０に水が付けられた後、第１紙片１０１の裏面と第３紙片１０３の表面とが合わされる。これによって、再湿糊部１１０と第１紙片１０１の裏面とが接触するとともに、第１〜第３紙片１０１〜１０３の各感圧接着剤部１１１が接触する。
【００４９】
この後、後述する封入封緘装置３０における圧着ローラ４３によって封書１５０全面が挟持されて搬送されることによって、再湿糊部１１０及び感圧接着剤部１１１によって各紙片が接着される。このようにして、中紙用印刷用紙ＨＰが包み込まれた封書１５０が形成される。
【００５０】
なお、上述した封筒用印刷用紙ＦＰは一例であって、本実施形態の封書作成システム１において用いられる封筒用印刷用紙ＦＰの種類はこれに限られるものではない。具体的には、本実施形態の封書作成システム１においては、種々の用紙種類の封筒用印刷用紙ＦＰが使用されるとともに、図２及び図３に示したような３つ折りによって封筒が形成される封筒用印刷用紙ＦＰ以外にも、２つ折りや４つ折り等その他の折り処理によって封筒が形成される封筒用印刷用紙ＦＰも使用される。
【００５１】
次に、封入封緘装置３０の具体的な構成を説明する。封入封緘装置３０は、印刷装置２０の連絡搬送路２５から排紙された封筒用印刷用紙ＦＰを、後述する第１折り部３３まで搬送する第１搬送路３１と、連絡搬送路２５から排紙された中紙用印刷用紙ＨＰを、後述する第２折り部３５まで搬送する第２搬送路３２とを備えている。そして、第１搬送路３１と第２搬送路３２とは、図示省略した切り替えフラップによって切り替えられるものである。
【００５２】
そして、第１搬送路３１の終端には、封筒用印刷用紙ＦＰを折って封書１５０を作成するための第１折り部３３が設けられている。この第１折り部３３は、封筒用印刷用紙ＦＰの幅方向よりも長い複数のゴム製のローラから構成されるものである。また、第１折り部３３の搬送路の終端には、第１折り部３３における封筒用印刷用紙ＦＰの折り処理のサイズ調整を行うための封筒用第１折りサイズ調整部３３ａが設けられている。また、第１折り部３３には、折り切替部３３ｂが設けられている。折り切替部３３ｂは、封筒用印刷用紙ＦＰを３つ折りする際には第１折り部３３において折り処理が行われないように、封筒用印刷用紙ＦＰを４つ折りする際には第１折り部３３において折り処理が行われるように切り替えるためのルート切替フリッパである。
【００５３】
そして、第１折り部３３からは第３搬送路３６が設けられている。第３搬送路３６は、第１折り部３３を通過した封筒用印刷用紙ＦＰ（３つ折り時）、もしくは第１折り部３３で折られた封筒用印刷用紙ＦＰ（４つ折り時）を後述する封入封緘部３８まで搬送するものである。
【００５４】
また、第２搬送路３２の途中には、整合部３４が設けられている。この整合部３４は、第２搬送路３２によって搬送された中紙用印刷用紙ＨＰを一旦留めるものであり、この整合部３４によって複数枚の中紙用印刷用紙ＨＰを重ねて貯留できるように構成されている。そして、整合部３４は、中紙用印刷用紙ＨＰの搬送方向に直交する幅方向の位置を調整する幅方向調整部３４ａと、中紙用印刷用紙ＨＰの搬送方向の先端位置を揃える先端揃え調整部３４ｂとを備えている。
【００５５】
また、第２搬送路３２の終端には、中紙用印刷用紙ＨＰを折り畳むための第２折り部３５が設けられている。この第２折り部３５は、中紙用印刷用紙ＨＰの幅方向よりも長い複数のゴム製のローラから構成されるものである。また、第２折り部３５の搬送路の終端には、第２折り部３５における折り処理のサイズ調整を行うための中紙用第１折りサイズ調整部３５ａと中紙用第２折りサイズ調整部３５ｂが設けられている。
【００５６】
そして、第２折り部３５からは第４搬送路３７が設けられている。第４搬送路３７は、第２折り部３５において折り処理の施された中紙用印刷用紙ＨＰを封入封緘部３８まで搬送するものである。即ち、上述した第３搬送路３６と第４搬送路３７とは、封入封緘部３８において合流するように構成されている。また、第４搬送路３７の途中には、搬送ローラ３７ａが設けられており、第４搬送路３７によって搬送された中紙用印刷用紙ＨＰは、この搬送ローラ３７ａの地点において一旦待機する。
【００５７】
封入封緘部３８は、第３折り部３９を備えている。第３折り部３９は、第１折り部３３を通過した封筒用印刷用紙ＦＰ（３つ折り時）、もしくは第１折り部３３において折られた封筒用印刷用紙ＦＰ（４つ折り時）に対して、封入前段のさらなる折り処理を必要に応じて施すとともに、その折り処理が施された封筒用印刷用紙ＦＰからなる封筒内に折り処理が施された中紙用印刷用紙ＨＰを封入するものである。この第３折り部３９も、封筒用印刷用紙ＦＰの幅方向よりも長い複数のゴム製のローラから構成されるものである。
【００５８】
また、封入封緘部３８は、第３折り部３９から下方に向けて延設された第５搬送路４０を備えている。そして、この第５搬送路４０の終端には、第３折り部３９における折り処理のサイズ調整を行うための封筒用第２折りサイズ調整部４０ａが設けられている。また、第３折り部３９から第５搬送路４０とは異なる方向に延設された第６搬送路４７の終端には、第３折り部３９における折り処理のサイズ調整を行うための封筒用第３折りサイズ調整部３９ａが設けられている。
【００５９】
さらに、この第６搬送路４７の近傍には、折り処理の施された封筒用印刷用紙ＦＰの再湿糊部１１０に水を付けて接着力を発揮させ、封筒用印刷用紙ＦＰを接着して封書１５０とするための加水部４１が設けられている。
【００６０】
そして、第３折り部３９から斜め上方に向けて傾斜された第７搬送路４２が設けられている。第７搬送路４２の途中には、封入封緘部３８の一部である圧着ローラ４３が設けられている。この圧着ローラ４３は、折り処理の施された中紙用印刷用紙ＨＰが封入された封書１５０の幅方向の両縁部を、上下から挟持して圧力を加えることによって感圧接着剤部１１１による接着を行うものである。
【００６１】
そして、圧着ローラ４３を通過した封書は、第７搬送路４２の途中において、再湿糊部１１０の糊による封緘が完了するまでの間、必要に応じて一旦停止され、その後、第７搬送路４２を経由して排出トレイ４４に排出される。
【００６２】
ここで、図４〜図６を参照して中紙用印刷用紙ＨＰを封筒内に内包する工程について概略を説明する。なお、ここでは、封筒用印刷用紙ＦＰを３つ折りする場合について説明する。
【００６３】
まず、印刷装置２０から排紙された中紙用印刷用紙ＨＰは、整合部３４において一旦貯留されて整合された後、第２折り部３５において折り処理が施され、図４（ａ）に示すように、折り処理の施された中紙用印刷用紙ＨＰは第４搬送路３７によって搬送される。そして、図４（ｂ）に示すように、第４搬送路３７によって搬送された中紙用印刷用紙ＨＰは、搬送ローラ３７ａの地点において一旦待機する。
【００６４】
次に、図５（ａ）に示すように、印刷装置２０から排紙された封筒用印刷用紙ＦＰが搬送され、第１折り部３３を通過した後、図５（ｂ）に示すように、第５搬送路４０に送り込まれる。
【００６５】
そして、図６（ａ）に示すように、一旦待機していた中紙用印刷用紙ＨＰが搬送ローラ３７ａによって封筒用印刷用紙ＦＰに向けて送り出される。
【００６６】
次いで、中紙用印刷用紙ＨＰは封筒用印刷用紙ＦＰとともに第３折り部３９に挟みこまれて搬送される。そして、図３（ｂ）に示したように、中紙用印刷用紙ＨＰは、封筒用印刷用紙ＦＰの第２紙片１０２と第３紙片１０３との間に整合されて内包されていく。
【００６７】
そして、図６（ｂ）に示すように、封筒用印刷用紙ＦＰ及びこれに包み込まれた中紙用印刷用紙ＨＰは、第３折り部３９の間を通過し、封筒用印刷用紙ＦＰの再湿糊部１１０に対して加水部４１によって水が塗布され、その後、再び第３折り部３９を通過することによって折り処理が施される。これにより、第１紙片１０１と第３紙片１０３が再湿糊部１１０によって接着され、封書１５０が形成される。
【００６８】
その後、封書１５０は、第７搬送路４２に沿って搬送され、圧着ローラ４３に挟持搬送された幅方向の両側縁が加圧され、感圧接着剤部１１１によって接着される。そして、第７搬送路４２の途中において、再湿糊部１１０の糊による封緘が完了するまでの間、必要に応じて一旦停止され、その後、第７搬送路４２を経由して排出トレイ４４に排出される。
【００６９】
以上が、本実施形態の封書作成システム１の全体の概略構成の説明である。
【００７０】
次に、本実施形態の封書作成システム１における制御系について説明する。本実施形態の封書作成システム１は、印刷装置２０から封入封緘装置３０への排紙タイミングの制御に特徴を有するものであるため、これに関連する制御系を中心に、図７を参照しながら説明する。なお、以後の説明では、ストレート給紙台２３から封筒用印刷用紙ＦＰを給紙し、給紙トレイ２２（第１給紙トレイ２２ａ、第２給紙トレイ２２ｂ、第３給紙トレイ２２ｃ）から中紙用印刷用紙ＨＰを給紙するものとする。
【００７１】
印刷装置２０は、図７に示すように、印刷装置２０全体を制御する制御部２７を備えている。この制御部２７は、例えば、ＣＰＵ、ＲＯＭ及びＲＡＭ（いずれも図示せず）を有するコンピュータによって構成することができる。そして、制御部２７は、給紙トレイ２２やストレート給紙台２３から中紙用印刷用紙ＨＰや封筒用印刷用紙ＦＰを給紙する給紙機構２８からの給紙タイミングを制御する給紙制御部２７ａを備えている。
【００７２】
なお、給紙機構２８は、給紙トレイ２２（第１給紙トレイ２２ａ、第２給紙トレイ２２ｂ、第３給紙トレイ２２ｃ）の中紙用印刷用紙ＨＰやストレート給紙台２３の封筒用印刷用紙ＦＰを検出するセンサ２８ａを有している。
【００７３】
また、制御部２７には、ディスプレイ２９が接続されている。このディスプレイ２９は、図１に示すように、印刷装置２０の上部に配置されている。ディスプレイ２９は、印刷装置２０の各種動作に関連する入力デバイスと情報出力デバイスとして利用することができる。ディスプレイ２９の機能の一つとして、ストレート給紙台２３の封筒用印刷用紙ＦＰの用紙種類の設定機能がある。
【００７４】
ストレート給紙台２３は、様々なサイズの封筒用印刷用紙ＦＰをセットできるように、例えば、封筒用印刷用紙ＦＰの幅方向両端をガイドする不図示のサイドフェンスの位置を移動できるように構成されている。
【００７５】
給紙機構２８のセンサ２８ａは、ストレート給紙台２３の用紙を検出するだけでなく、ストレート給紙台２３にセットされた封筒用印刷用紙ＦＰの用紙長や用紙幅（搬送方向及びその直交方向の用紙サイズ）を検出する。したがって、制御部２７は、センサ２８ａの検出結果から、ストレート給紙台２３にセットされた封筒用印刷用紙ＦＰの用紙種類を判別することができる。ストレート給紙台２３にセットされた中紙用印刷用紙ＨＰや封筒用印刷用紙ＦＰの用紙種類は、ユーザがディスプレイ２９から設定入力することもできる。
【００７６】
なお、給紙トレイ２２（第１給紙トレイ２２ａ、第２給紙トレイ２２ｂ、第３給紙トレイ２２ｃ）については、例えば、トレイ内の不図示の仕切板の設定位置等により、セットできる中紙用印刷用紙ＨＰの種類が固定される。そこで、給紙トレイ２２（第１給紙トレイ２２ａ、第２給紙トレイ２２ｂ、第３給紙トレイ２２ｃ）に設置される中紙用印刷用紙ＨＰの用紙種類の設定は、不図示のセンサによる検出結果を用いて自動設定してもよい。勿論、ストレート給紙台２３と同じく、ユーザがディスプレイ２９から設定入力するようにしてもよい。
【００７７】
また、図７に示すように、制御部２７には、コンピュータ１０からの印刷ジョブデータが入力される。コンピュータ１０からの印刷ジョブデータを受け取ると制御部２７は、受け取った印刷ジョブデータの画像データによる画像を、印刷設定情報において指定された条件で、インクヘッド部２１の印刷処理により封筒用印刷用紙ＦＰや中紙用印刷用紙ＨＰに印刷させる。
【００７８】
さらに、制御部２７は、封入封緘装置３０の初期化を指示する初期化指令を必要に応じて封入封緘装置３０に出力する。この初期化指令には、封入封緘装置３０の封筒用印刷用紙ＦＰに対応する機構部分に関する封筒用初期化指令と中紙用印刷用紙ＨＰに対応する機構部分に関する中紙用初期化指令とがある。封筒用初期化指令は、封筒用印刷用紙ＦＰの用紙種類を示す情報を含んでいる。中紙用初期化指令は、中紙用印刷用紙ＨＰの用紙種類と折りの種類とを示す情報を含んでいる。
【００７９】
制御部２７は、封筒用印刷用紙ＦＰの用紙種類や、中紙用印刷用紙ＨＰの用紙種類及び折りの種類を、コンピュータ１０から受け取った印刷ジョブデータの印刷設定情報から特定することができる。また、制御部２７は、ストレート給紙台２３にセットされた封筒用印刷用紙ＦＰの用紙種類から中紙用印刷用紙ＨＰの用紙種類及び折りの種類を推定により特定できる場合もある。この場合、制御部２７は、封筒用印刷用紙ＦＰの用紙種類を、ストレート給紙台２３にセットされた封筒用印刷用紙ＦＰの用紙種類に特定する。
【００８０】
そこで、制御部２７がストレート給紙台２３にセットされた封筒用印刷用紙ＦＰの用紙種類から中紙用印刷用紙ＨＰの用紙種類及び折りの種類を推定により特定する場合の手順を、図８の説明図を参照して説明する。
【００８１】
図８は、印刷装置２０の制御部２７が有するＲＡＭに記憶された封入封緘装置３０で封書を作成できる封筒用印刷用紙ＦＰと中紙用印刷用紙ＨＰとの組み合わせを示すテーブルの一例の説明図である。
【００８２】
図８に示す例のテーブルでは、封入封緘装置３０で封入封緘処理できる組み合わせの選択肢として、封筒用印刷用紙ＦＰの用紙種類についてはフォームＡ〜Ｄの４種類が挙げられている。また、中紙用印刷用紙ＨＰの用紙種類及び折り種類については、「Ａ４  ２つ折り」、「Ａ４  内３つ折り」、「Ｂ５  内３つ折り」、「Ｌｅｔｔｅｒ  内３つ折り」及び「Ｌｅｇａｌ  ４つ折り」の５種類が挙げられている。
【００８３】
そして、封筒用印刷用紙ＦＰにフォームＡを用いる場合には、「Ａ４  内３つ折り」及び「Ｂ５  内３つ折り」の２種類の中紙用印刷用紙ＨＰが選択可能であり、封筒用印刷用紙ＦＰにフォームＢを用いる場合には、「Ａ４  ２つ折り」の中紙用印刷用紙ＨＰのみが選択可能である。
【００８４】
また、封筒用印刷用紙ＦＰにフォームＣを用いる場合には、「Ｌｅｔｔｅｒ  内３つ折り」及び「Ｌｅｇａｌ  ４つ折り」の２種類の中紙用印刷用紙ＨＰが選択可能であり、封筒用印刷用紙ＦＰにフォームＤを用いる場合には、「Ｂ５  内３つ折り」の中紙用印刷用紙ＨＰのみが選択可能である。
【００８５】
なお、いずれの場合にも、封筒用印刷用紙ＦＰの折り方は、封入封緘する中紙用印刷用紙ＨＰの折り方に応じて決まる。
【００８６】
したがって、ストレート給紙台２３にフォームＢの封筒用印刷用紙ＦＰがセットされており、第１給紙トレイ２２ａ、第２給紙トレイ２２ｂ、第３給紙トレイ２２ｃのいずれかに「Ａ４」の中紙用印刷用紙ＨＰがセットされている場合は、封入封緘装置３０の各用紙に対応する機構部分を、「Ａ４  ２つ折り」の中紙用印刷用紙ＨＰとそれに合わせた折り方のフォームＢの封筒用印刷用紙ＦＰとに応じた内容で、それぞれ初期化すればよいことになる。
【００８７】
同様に、ストレート給紙台２３にフォームＤの封筒用印刷用紙ＦＰがセットされており、第１給紙トレイ２２ａ、第２給紙トレイ２２ｂ、第３給紙トレイ２２ｃのいずれかに「Ｂ５」の中紙用印刷用紙ＨＰがセットされている場合は、封入封緘装置３０の各用紙に対応する機構部分を、「Ｂ５  内３折り」の中紙用印刷用紙ＨＰとそれに合わせた折り方のフォームＤの封筒用印刷用紙ＦＰとに応じた内容で、それぞれ初期化すればよいことになる。
【００８８】
そこで、これらの場合に制御部２７は、封入封緘処理の印刷設定情報を含む印刷ジョブデータをコンピュータ１０から受け取っていなくても、封筒用印刷用紙ＦＰの用紙種類情報を含んだ封筒用初期化指令や中紙用印刷用紙ＨＰの用紙種類情報及び折りの種類情報を含んだ中紙用初期化指令を封入封緘装置３０に出力する。
【００８９】
一方、ストレート給紙台２３にフォームＡの封筒用印刷用紙ＦＰがセットされている場合、第１給紙トレイ２２ａ、第２給紙トレイ２２ｂ、第３給紙トレイ２２ｃに「Ａ４」と「Ｂ５」の中紙用印刷用紙ＨＰが両方ともセットされていると、封入封緘装置３０の中紙用印刷用紙ＨＰに対応する機構部分を「Ａ４  内３つ折り」及び「Ｂ５  内３つ折り」のどちらの中紙用印刷用紙ＨＰに合わせて初期化すればよいかを特定できない。
【００９０】
同様に、ストレート給紙台２３にフォームＣの封筒用印刷用紙ＦＰがセットされている場合、第１給紙トレイ２２ａ、第２給紙トレイ２２ｂ、第３給紙トレイ２２ｃに「Ｌｅｔｔｅｒ」及び「Ｌｅｇａｌ」の中紙用印刷用紙ＨＰが両方ともセットされていると、封入封緘装置３０の中紙用印刷用紙ＨＰに対応する機構部分を「Ｌｅｔｔｅｒ  内３つ折り」及び「Ｌｅｇａｌ  ４つ折り」のどちらの中紙用印刷用紙ＨＰに合わせて初期化すればよいかを特定できない。
【００９１】
そこで、これらの場合に制御部２７は、封入封緘処理の印刷設定情報を含む印刷ジョブデータをコンピュータ１０から受け取って、その印刷設定情報から封筒用印刷用紙ＦＰと中紙用印刷用紙ＨＰの用紙種類及び折りの種類をそれぞれ特定し、それらの情報を含んだ封筒用初期化指令や中紙用初期化指令を封入封緘装置３０にそれぞれ出力する。
【００９２】
また、ストレート給紙台２３にフォームＡの封筒用印刷用紙ＦＰがセットされており、第１給紙トレイ２２ａ、第２給紙トレイ２２ｂ、第３給紙トレイ２２ｃのいずれかに「Ａ４」と「Ｂ５」のうち一方の中紙用印刷用紙ＨＰだけがセットされていて、他方の中紙用印刷用紙ＨＰは第１給紙トレイ２２ａ、第２給紙トレイ２２ｂ、第３給紙トレイ２２ｃのいずれにもセットされていない場合は、封入封緘装置３０の各用紙に対応する機構部分を、「Ａ４  内３つ折り」及び「Ｂ５  内３つ折り」のうち一方の中紙用印刷用紙ＨＰとそれに合わせた折り方のフォームＡの封筒用印刷用紙ＦＰとに応じた内容で、それぞれ初期化すればよいことになる。
【００９３】
同様に、ストレート給紙台２３にフォームＣの封筒用印刷用紙ＦＰがセットされており、第１給紙トレイ２２ａ、第２給紙トレイ２２ｂ、第３給紙トレイ２２ｃのいずれかに「Ｌｅｔｔｅｒ」及び「Ｌｅｇａｌ」のうち一方の中紙用印刷用紙ＨＰだけがセットされていて、他方の中紙用印刷用紙ＨＰは第１給紙トレイ２２ａ、第２給紙トレイ２２ｂ、第３給紙トレイ２２ｃのいずれにもセットされていない場合は、封入封緘装置３０の各用紙に対応する機構部分を、フォームＡの封筒用印刷用紙ＦＰと「Ｌｅｔｔｅｒ  内３つ折り」及び「Ｌｅｇａｌ  ４つ折り」のうち一方の中紙用印刷用紙ＨＰとに応じた内容で、それぞれ初期化すればよいことになる。
【００９４】
そこで、これらの場合に制御部２７は、封入封緘処理の印刷設定情報を含む印刷ジョブデータをコンピュータ１０から受け取っていなくても、封筒用印刷用紙ＦＰの用紙種類情報を含んだ封筒用初期化指令や中紙用印刷用紙ＨＰの用紙種類情報及び折りの種類情報を含んだ中紙用初期化指令を封入封緘装置３０に出力する。
【００９５】
さらに、ストレート給紙台２３に封筒用印刷用紙ＦＰがセットされていない場合や、ストレート給紙台２３にセットされた封筒用印刷用紙ＦＰに封入封緘装置３０で封入封緘処理できる中紙用印刷用紙ＨＰが、第１給紙トレイ２２ａ、第２給紙トレイ２２ｂ、第３給紙トレイ２２ｃのいずれにもセットされていない場合は、制御部２７は、用紙切れエラーのため封筒用初期化指令や中紙用初期化指令を封入封緘装置３０に出力しない。
【００９６】
なお、制御部２７は、封筒用初期化指令と中紙用初期化指令とを、封入封緘装置３０に同時に出力してもよく、印刷装置２０における封筒用印刷用紙ＦＰ及び中紙用印刷用紙ＨＰの印刷順に合わせた順番で封入封緘装置３０に出力してもよい。あるいは、制御部２７は、指令の内容が決まった方から順次個別に、封筒用初期化指令や中紙用初期化指令を封入封緘装置３０に出力してもよい。
【００９７】
図７に示すように、封入封緘装置３０は、封入封緘装置３０全体を制御する制御部５０を備えている。この制御部５０は、例えば、ＣＰＵ、ＲＯＭ及びＲＡＭ（いずれも図示せず）を有するコンピュータによって構成することができる。そして、制御部５０は、初期化指令取得部５１及び初期化動作終了通知部５２を備えている。
【００９８】
初期化指令取得部５１は、印刷装置２０の制御部２７からの封筒用初期化指令や中紙用初期化指令を受け取って、封筒用印刷用紙ＦＰの用紙種類の情報と中紙用印刷用紙ＨＰの用紙種類及び折りの種類の情報とを取得するものである。
【００９９】
初期化動作終了通知部５２は、初期化指令取得部５１によって取得された中紙用印刷用紙ＨＰ及び封筒用印刷用紙ＦＰの用紙種類情報等に基づいて制御部５０が行わせた、封筒用印刷用紙ＦＰに関する機構部分の初期化動作の終了や中紙用印刷用紙ＨＰに関する機構部分の初期化動作の終了を、印刷装置２０の制御部２７に通知するものである。
【０１００】
そして、制御部５０は、初期化指令取得部５１によって封筒用印刷用紙ＦＰの用紙種類情報及び折りの種類情報が取得されると、取得された情報に応じた内容で、封筒用印刷用紙ＦＰを３つ折りする場合は、対応する封筒用第２折りサイズ調整部４０ａ及び封筒用第３折りサイズ調整部３９ａの各機構部分を初期化動作させる。また、封筒用印刷用紙ＦＰを４つ折りする場合は、対応する封筒用第１折りサイズ調整部３３ａ、封筒用第２折りサイズ調整部４０ａ及び封筒用第３折りサイズ調整部３９ａの各機構部分を初期化動作させる。
【０１０１】
また、制御部５０は、初期化指令取得部５１によって中紙用印刷用紙ＨＰの用紙種類情報及び折りの種類情報が取得されると、取得された情報に応じた内容で、中紙用印刷用紙ＨＰに対応する中紙用第１折りサイズ調整部３５ａ及び中紙用第２折りサイズ調整部３５ｂの各機構部分を初期化動作させる。
【０１０２】
次に、本実施形態の封書作成システム１においてコンピュータ１０からの印刷ジョブデータを受け取る前に印刷装置２０の制御部２７が行う初期化指令出力処理の手順について、図９に示すフローチャートを参照しながら説明する。
【０１０３】
まず、制御部２７は、所定のイベントの発生を待ち受ける（ステップＳ１）。ここで、イベントとしては例えば、印刷装置２０の電源投入や省電力モードの解除、給紙トレイ２２（第１給紙トレイ２２ａ、第２給紙トレイ２２ｂ、第３給紙トレイ２２ｃ）やストレート給紙台２３に設置された用紙種類の設定変更等が挙げられる。
【０１０４】
そして、所定のイベントが発生した場合は（ステップＳ１でＹＥＳ）、制御部２７は、給紙機構２８のセンサ２８ａの出力に基づいて、ストレート給紙台２３に封筒用印刷用紙ＦＰがセットされているか否かを確認し（ステップＳ３）、セットされていない場合は（ステップＳ３でＮＯ）、一連の処理を終了する。
【０１０５】
一方、セットされている場合は（ステップＳ３でＹＥＳ）、制御部２７は、ストレート給紙台２３にセットする封筒用印刷用紙ＦＰとして設定された用紙種類を、実際にストレート給紙台２３にセットされている封筒用印刷用紙ＦＰの用紙種類として特定する（ステップＳ５）。そして、制御部２７は、ＲＡＭに記憶された図８のテーブルを参照して、特定した用紙種類の封筒用印刷用紙ＦＰを用いて封入封緘装置３０が封入封緘処理できる中紙用印刷用紙ＨＰの用紙種類及び折り種類の選択肢の候補を特定する（ステップＳ７）。
【０１０６】
続いて、制御部２７は、給紙機構２８のセンサ２８ａの出力と、給紙トレイ２２（第１給紙トレイ２２ａ、第２給紙トレイ２２ｂ、第３給紙トレイ２２ｃ）にセットする中紙用印刷用紙ＨＰとして設定された用紙種類とに基づいて、給紙トレイ２２（第１給紙トレイ２２ａ、第２給紙トレイ２２ｂ、第３給紙トレイ２２ｃ）に実際にセットされている中紙用印刷用紙ＨＰの用紙種類を特定する（ステップＳ９）。
【０１０７】
そして、制御部２７は、ステップＳ９で特定した結果に基づいて、ステップＳ７で特定した候補と同じ用紙種類の中紙用印刷用紙ＨＰが実際にセットされている給紙トレイ２２が存在するか否かを確認する（ステップＳ１１）。
【０１０８】
そのような給紙トレイ２２が１つも存在しない場合は（ステップＳ１１でＮＯ）、一連の処理を終了し、存在する場合は（ステップＳ１１でＹＥＳ）、制御部２７は、存在する給紙トレイ２２（第１給紙トレイ２２ａ、第２給紙トレイ２２ｂ、第３給紙トレイ２２ｃ）が１つだけであるか否かを確認する（ステップＳ１３）。そして、存在する給紙トレイ２２が１つだけではない場合は（ステップＳ１３でＮＯ）、一連の処理を終了する。
【０１０９】
一方、存在する給紙トレイ２２が１つだけである場合は（ステップＳ１３でＹＥＳ）、制御部２７は、ステップＳ５で特定した封筒用印刷用紙ＦＰの用紙種類の情報を含んだ封筒用初期化指令や、ステップＳ１１で１つだけ存在することを確認した用紙種類の中紙用印刷用紙ＨＰについてステップＳ７で特定した用紙種類及び折りの種類の各情報を含んだ中紙用初期化指令を、各初期化指令を出力するべきタイミングで封入封緘装置３０に出力する（ステップＳ１５）。
【０１１０】
続いて、制御部２７は、封入封緘装置３０の初期化動作終了通知部５２からの初期化動作終了通知の入力を待ち受け（ステップＳ１７）、入力したら（ステップＳ１７でＹＥＳ）、ファーストプリントの許可フラグを設定した後（ステップＳ１９）、一連の処理を終了する。
【０１１１】
以上の説明からも明らかなように、本実施形態では、図９のフローチャートにおけるステップＳ１乃至ステップＳ５が、請求項中の第１用紙種類特定手段に対応する処理となっている。また、本実施形態では、図９中のステップＳ７が、請求項中の加工パターン特定手段に対応する処理となっている。
【０１１２】
さらに、本実施形態では、図９中のステップＳ９が、請求項中の第２用紙種類特定手段に対応する処理となっており、図９中のステップＳ１１及びステップＳ１３が、請求項中の初期化指令出力手段に対応する処理となっている。
【０１１３】
以上に説明した本実施形態の封書作成システム１によれば、ストレート給紙台２３に実際にセットされた封筒用印刷用紙ＦＰを用いて封入封緘装置３０で封書を作成できる用紙種類の中紙用印刷用紙ＨＰが、給紙トレイ２２（第１給紙トレイ２２ａ、第２給紙トレイ２２ｂ、第３給紙トレイ２２ｃ）に１種類だけセットされている場合に、それらの封筒用印刷用紙ＦＰ及び中紙用印刷用紙ＨＰが封入封緘装置３０で封書を作成するのに用いられるものと推定して、それらの用紙種類と折りの種類の各情報を含んだ封筒用初期化指令や中紙用初期化指令を、コンピュータ１０からの印刷ジョブデータを受け取る前に封入封緘装置３０に出力するようにした。
【０１１４】
このため、封入封緘装置３０で封書を作成するのに用いる封筒用印刷用紙ＦＰ及び中紙用印刷用紙ＨＰを印刷ジョブデータの印刷設定情報から特定するよりも早く、封筒用初期化指令や中紙用初期化指令を封入封緘装置３０に出力することができる。よって、封入封緘装置３０の封筒用印刷用紙ＦＰや中紙用印刷用紙ＨＰにそれぞれ対応する機構部分の初期化動作を早めに終わらせて、印刷装置２０がファーストプリントを行える状態の到来を早めることができる。これにより、ファーストプリントまでの時間のさらなる短縮化を図ることができ、ユーザの待ち時間削減をさらに促進することができる。
【０１１５】
特に、封筒用印刷用紙ＦＰに対応する封筒用第１折りサイズ調整部３３ａ、封筒用第２折りサイズ調整部４０ａ及び封筒用第３折りサイズ調整部３９ａや、中紙用印刷用紙ＨＰに対応する中紙用第１折りサイズ調整部３５ａ及び中紙用第２折りサイズ調整部３５ｂを、封筒用印刷用紙ＦＰや中紙用印刷用紙ＨＰが突き当たるときの衝撃で位置がずれないように送りねじ機構で移動させる場合は、移動速度が遅くなるので初期化動作にも時間がかかる。
【０１１６】
この場合に、印刷ジョブデータをコンピュータ１０から受け取る前に封筒用初期化指令や中紙用初期化指令を封入封緘装置３０に出力することで、ファーストプリントまでの時間をより一層早くすることができる。
【０１１７】
なお、封筒用初期化指令や中紙用初期化指令を、指令の内容が決まった方から順次個別に封入封緘装置３０に出力すれば、封入封緘装置３０の初期化の内容が決まった部分から順次初期化動作を開始させ、全ての初期化動作が終わる時点を早めて、印刷装置２０をより早い時点でファーストプリント可能な状態にすることができる。
【０１１８】
また、封筒用初期化指令や中紙用初期化指令を、印刷装置２０における封筒用印刷用紙ＦＰと中紙用印刷用紙ＨＰの印刷順に合わせた順番で封入封緘装置３０に出力すれば、印刷装置２０から先に排紙される用紙に対応する封入封緘装置３０の機構部分の初期化動作を先に終わらせて、印刷装置２０をより早い時点でファーストプリント可能な状態にすることができる。
【０１１９】
さらに、上述した実施形態では、ストレート給紙台２３に実際にセットされた封筒用印刷用紙ＦＰを用いて封入封緘装置３０で封書を作成できる用紙種類の中紙用印刷用紙ＨＰの候補が２つ以上ある場合でも、給紙トレイ２２（第１給紙トレイ２２ａ、第２給紙トレイ２２ｂ、第３給紙トレイ２２ｃ）にセットされているのが１種類だけであれば、その中紙用印刷用紙ＨＰとストレート給紙台２３の封筒用印刷用紙ＦＰとが封入封緘装置３０で封書を作成するのに用いられるものと推定して、それらの用紙種類と折りの種類の各情報を含んだ封筒用初期化指令や中紙用初期化指令を、コンピュータ１０からの印刷ジョブデータを受け取る前に封入封緘装置３０に出力するようにした。
【０１２０】
このような制御をすることで、印刷ジョブデータをコンピュータ１０から受け取る前に封筒用初期化指令や中紙用初期化指令を封入封緘装置３０に出力できるケースを増やすことができるので、有利である。
【０１２１】
また、本実施形態では、印刷装置２０がインクジェット方式の印刷装置である場合について説明したが、本発明は、例えば、孔版印刷方式や電子写真方式等、インクジェットプリント以外の方式を用いた印刷装置を用いる場合にも適用することができる。
【０１２２】
さらに、上述した実施形態では、後処理装置として封入封緘装置３０を用いた封書作成システム１を例に取って説明した。しかし、本発明は、例えば、表紙の用紙と本身の用紙とを印刷装置での印刷処理後に製本装置で製本して冊子を作成する製本システム等、第１用紙と第２用紙とを印刷装置での印刷処理後の後処理装置で組み合わせて印刷加工物を得る印刷加工物作成システムに広く適用可能である。
【符号の説明】
【０１２３】
１  封書作成システム
１０  コンピュータ
２０  印刷装置
２１  インクヘッド部
２２  給紙トレイ
２２ａ  第１給紙トレイ
２２ｂ  第２給紙トレイ
２２ｃ  第３給紙トレイ
２３  ストレート給紙台
２４  循環搬送路
２５  連絡搬送路
２６  反転部
２７，５０  制御部
２７ａ  給紙制御部
２８  給紙機構
２８ａ  センサ
２９  ディスプレイ
３０  封入封緘装置
３１  第１搬送路
３２  第２搬送路
３３  第１折り部
３３ａ  封筒用第１折りサイズ調整部
３３ｂ  折り切替部
３４  整合部
３４ａ  幅方向調整部
３４ｂ  先端揃え調整部
３５  第２折り部
３５ａ  中紙用第１折りサイズ調整部
３５ｂ  中紙用第２折りサイズ調整部
３６  第３搬送路
３７  第４搬送路
３７ａ  搬送ローラ
３８  封入封緘部
３９  第３折り部
３９ａ  封筒用第３折りサイズ調整部
４０  第５搬送路
４０ａ  封筒用第２折りサイズ調整部
４１  加水部
４２  第７搬送路
４３  圧着ローラ
４４  排出トレイ
４７  第６搬送路
５１  初期化指令取得部
５２  初期化動作終了通知部
１０１  第１紙片
１０２  第２紙片
１０３  第３紙片
１０４  ミシン目
１１０  再湿糊部
１１１  感圧接着剤部
１２０  折り線
１５０  封書
ＦＰ  封筒用印刷用紙
ＨＰ  中紙用印刷用紙
【図１】
2016172634.tif 000003
【図２】
2016172634.tif 000004
【図３】
2016172634.tif 000005
【図４】
2016172634.tif 000006
【図５】
2016172634.tif 000007
【図６】
2016172634.tif 000008
【図７】
2016172634.tif 000009
【図８】
2016172634.tif 000010
【図９】
2016172634.tif 000011